(57)【要約】【課題】眼鏡に容易に装着できるとともに、容易に製作ができ、装着状態が美しく、装飾具として統一感のある眼鏡装飾具の提供。【解決手段】眼鏡枠２に掛け回されて取り付けられる対眼鏡枠取付体３と、対眼鏡枠取付体３から垂下された垂下体４とを有し、対眼鏡枠取付体３には、眼鏡枠２を抱持する抱持部１１と、垂下体４が揺動可能に取り付けられる垂下体取付部１２とを備え、抱持部１１には、眼鏡枠２に巻き掛けられる金属製線状材１３を有し、金属製線状材１３には、ゴム状可撓管１４が嵌め付けられている。【選択図】図３
2008216935.tif 000002
【特許請求の範囲】
【請求項１】
眼鏡枠に掛け回されて取り付けられる対眼鏡枠取付体と、該対眼鏡枠取付体から垂下された垂下体とを有し、
前記対眼鏡枠取付体には、前記眼鏡枠を抱持する抱持部と、前記垂下体が揺動可能に取り付けられる垂下体取付部とを備え、
前記抱持部には、前記眼鏡枠に巻き掛けられる金属製線状材を有し、該金属製線状材には、ゴム状可撓管が嵌め付けられている眼鏡装飾具。
【請求項２】
前記垂下体は、鎖状に形成された揺動部材と、該揺動部材の先端部に備えられた装飾物とからなる請求項１に記載の眼鏡装飾具。
【請求項３】
前記対眼鏡枠取付体には、該対眼鏡枠取付体の端部同士を接続する外れ止め機構を有している請求項１又は２の何れか１に記載の眼鏡装飾具。
【発明の詳細な説明】
【技術分野】
【０００１】
本発明は、主として眼鏡枠から揺動自在に垂下される眼鏡装飾具に関する。
【背景技術】
【０００２】
従来、眼鏡を装飾するものとして、図８に示す眼鏡アクセサリがある。（特許文献１）
この眼鏡アクセサリ３１は、孔に掛けることができるフック部３２と、フック部３２に連結されているチェーン３３と、そのチェーン３３の先端に設けられたビーズ部３４と、さらにその先端に設けられた宝飾品３５とを有している。そして、眼鏡の弦３６の先にある耳掛け部３７の先端部分に孔３８を形成し、その孔３８にフック部３２を掛けて、眼鏡アクセサリ３１を装着しているものである。
【０００３】
しかし、このように眼鏡の耳掛け部３７に孔３８を開けて取り付ける場合、孔３８の位置によって、眼鏡アクセサリ３１の取り付け位置が固定化されてしまうという問題や、手軽に取り付けられないという問題があった。
【０００４】
また、この眼鏡アクセサリ３１のフック部３２を輪上の紐体とする、或いは、クリップ構造とすることによって、眼鏡の耳掛け部３７に孔を開けずに眼鏡アクセサリ３１を取り付ける構造も提案されている。
【特許文献１】特開２００５−３７６１４号公報
【発明の開示】
【発明が解決しようとする課題】
【０００５】
しかし、眼鏡アクセサリ３１のフック部３２を紐体とした場合、紐体には高級感がなく、貴金属などを使用した高級感のある宝飾品と同時に使用した際に、紐体と宝飾品の統一感がとり難いという問題があった。そして、紐体の装着状態も美しくないという問題があった。
【０００６】
また、眼鏡アクセサリ３１のフック部３２をクリップ状とした場合、その構造上小型化が困難であり、クリップ状のフック部が宝飾品より目立ってしまうという問題があった。また、クリップ状のフック部は、その構造が複雑なので、製作に手間がかかるという問題があった。
【０００７】
そこで、本発明はこのような従来の問題に鑑み、眼鏡に容易に装着できるとともに、容易に製作ができ、装着状態が美しく、装飾具として統一感のある眼鏡装飾具の提供を目的としてなされたものである。
【課題を解決するための手段】
【０００８】
上述の如き従来の問題を解決し、所期の目的を達成するための請求項１に記載の発明の特徴は、眼鏡枠に掛け回されて取り付けられる対眼鏡枠取付体と、該対眼鏡枠取付体から垂下された垂下体とを有し、前記対眼鏡枠取付体には、前記眼鏡枠を抱持する抱持部と、前記垂下体が揺動可能に取り付けられる垂下体取付部とを備え、前記抱持部には、前記眼鏡枠に巻き掛けられる金属製線状材を有し、該金属製線状材には、ゴム状可撓管が嵌め付けられていることにある。
【０００９】
請求項２に記載の発明の特徴は、請求項１の構成に加え、前記垂下体は、鎖状に形成された揺動部材と、該揺動部材の先端部に備えられた装飾物とからなることにある。
【００１０】
請求項３に記載の発明の特徴は、請求項１又は２に記載の構成に加え、前記対眼鏡枠取付体には、該対眼鏡枠取付体の端部同士を接続する外れ止め機構を有していることにある。
【発明の効果】
【００１１】
本発明に係る眼鏡装飾具においては、眼鏡枠に掛け回されて取り付けられる対眼鏡枠取付体と、対眼鏡枠取付体から垂下された垂下体とを有し、対眼鏡枠取付体には、眼鏡枠を抱持する抱持部と、垂下体が揺動可能に取り付けられる垂下体取付部とを備え、抱持部には、眼鏡枠に巻き掛けられる金属製線状材を有し、金属製線状材には、ゴム状可撓管が嵌め付けられているので、ゴム状可撓管の厚み及びその柔軟性によって、眼鏡枠に眼鏡装飾具を好適に固定することができる。そして、眼鏡枠の大きさが多少異なっても対応することができる。さらに、保持部を容易に製作できる。また、ゴム状可撓管によって金属製線状材を好適に保護できる。
【００１２】
さらに、垂下体は、鎖状に形成された揺動部材と、該揺動部材の先端部に備えられた装飾物とからなるので、揺動部材及び装飾物が好適に揺動されて人目を惹きつけることができる。
【００１３】
また、対眼鏡枠取付体には、対眼鏡枠取付体の端部同士を接続する外れ止め機構を有しているので、眼鏡装飾具が、眼鏡枠から外れて紛失してしまうことを防止することができる。
【発明を実施するための最良の形態】
【００１４】
次に本発明の第一実施例を図１〜図４に基づいて説明する。
【００１５】
図１において、符号１は、眼鏡装飾具を示している。この眼鏡装飾具１は、眼鏡枠２に掛け回されるようにして取り付けられている対眼鏡枠取付体３と、この対眼鏡枠取付体３から垂下されている垂下体４とを備えている。
【００１６】
対眼鏡枠取付体３は、図２に示すように、略逆Ｕ字形状に形成されており、眼鏡枠２を抱持する抱持部１１と、垂下体４が取り付けられている部分である垂下体取付部１２を備えている。
【００１７】
また、対眼鏡枠取付体３は、一本の金属製線状材１３を折り曲げて略逆Ｕ字形状に形成されており、その金属製線状材１３の逆Ｕ字状部分の一部にゴム状可撓管１４を嵌め付けて抱持部１１となしている。
【００１８】
このゴム状可撓管１４は、金属製線状材１３より太く形成されており、その管内部に金属製線状材１３が挿入されている。また、ゴム状可撓管１４は、眼鏡枠２の断面における周囲を囲む長さと同程度かそれより長く形成されている。
【００１９】
また、対眼鏡枠取付体３の両側端部は、金属製線状材１３が剥き出しとなっている。そして、この対眼鏡枠取付体３の端部の一方側には、垂下体取付部１２が備えられている。
【００２０】
この垂下体取付部１２は、逆Ｕ字形をした対眼鏡枠取付体３の下方側両端部のうち、一方側端部に、金属製線状材１３を下に凸な曲線状に折り曲げて形成されている。そして、この垂下体取付部１２には、略円形状に形成され円環などの環状体が嵌め付けられるようになっている。
【００２１】
また、対眼鏡枠取付体３には、対眼鏡枠取付体３の端部同士を接続する外れ止め機構が備えられている。この外れ止め機構は、対眼鏡枠取付体３の逆Ｕ字形の下方側端部の一端側に備えられた鈎状部１５と、他端側に備えられた引掛部１６とから構成されている。そして、図３に示すように、この引掛部１６を鈎状部１５に引っ掛けて、対眼鏡枠取付体３が閉じる構造となっている。
【００２２】
鈎状部１５は、垂下体取付部１２の先端側から、図４に示すように、対眼鏡枠取付体３の内側に向けて凸な曲線を描くように形成されている。また、その曲線を含む面が、対眼鏡取付体３のＵ字形を含む面と交差するように形成されている。
【００２３】
そして、この鈎状部１５と対となる引掛部１６は、対眼鏡枠取付体３の逆Ｕ字形の下方側端部他端側の先端部分に形成され、外側に反った形状となっている。このような形状となっていることにより、引掛部１６を鈎状部１５に引っ掛ける操作を容易にしている。
【００２４】
このような構造の対眼鏡枠取付体３から垂下されている垂下体４は、対眼鏡枠取付体３の垂下体取付部１２から垂下された揺動部材１７と、その揺動部材１７の先端に取り付けられた装飾物１８とからなる。この揺動部材１７は、鎖状に形成されている。そして、揺動部材１７の先端のリング部分が垂下体取付部１２に嵌め込まれて、対眼鏡枠取付体３に対して揺動可能に取り付けられている。
【００２５】
揺動部材１７の先端部分に取り付けられた装飾物１８は、光沢のある材料を使用し、略球状に形成されている。尚、この装飾物１８は、球状に限らず、多様な材料を使用し、多様な形態に形成してもよい。
【００２６】
また、対眼鏡枠取付体３は、眼鏡枠２に設置した際に、人目に触れる側の部分を装飾構造物となし、人目に触れない部分に金属製線状材１３とそれに嵌め付けたゴム状可撓管１４とを備えさせてもよい。
【００２７】
また、対眼鏡枠取付体３において、金属製線状材１３のＵ字部分の片側の人目に触れない部分だけに、ゴム状可撓管１４を嵌め付けても良い。この場合、ゴム状可撓管１４は、眼鏡枠２の断面における周囲を囲む長さより短くてもよい。さらに、ゴム状可撓管１４は、透明なものを用いるとよい。垂下体取付部１２は、対眼鏡枠取付体３の下方側両端の内、眼鏡装飾具を眼鏡枠に装着した際に外側となる端部側に形成するとよい。
【００２８】
また、対眼鏡枠取付体３の下方側端部には、外れ止め機構を設けなくともよい。その際、対眼鏡枠取付体３の下方側両端部を、対眼鏡枠取付体３の逆Ｕ字形部分の開き方向に凸な略円形状に形成してもよい。このような形状とすることにより、対眼鏡枠取付体３の着脱操作が容易にできる。
【００２９】
本第一実施例では、垂下体４は、鎖状の揺動部材と、その先端に取り付けられた装飾物とから構成されているが、垂下体４は、多様な形態、材料を使用した装飾品であって、対眼鏡枠取付体３に対して揺動可能に取り付けられていればよい。
【００３０】
眼鏡装飾具は、金属、貴金属、宝石、真珠、ビーズなどを使用して形成するとよい。
【００３１】
図５及び図６は本発明の第二実施例を示している。以下、第一実施例と実質的に同一の部分は、同一の符号を付してその説明を省略する。
【００３２】
この第二実施例に係る眼鏡装飾具において、抱持部１１は、金属製線状材１３と、その金属製線状材１３に嵌め付けられたゴム状可撓管１４と、台座２１とから構成されている。
【００３３】
台座２１は、縦長であって、その長さ方向両端部が、平面視先細り形状に形成されている。そして、台座２１の表側には装飾物２２，２２……が複数設置されている。この装飾物は、宝石、真珠などである。また、台座２１の裏側には、その台座裏側の上方部分から突出して弧を描くように、金属製線状材１３が備えられている。この金属製線状材１３の所定の部分にゴム状可撓管１４が嵌め付けられている。そして、金属製線状材１３の先端には、剥き出しで、引掛部１６が形成されている。
【００３４】
また、本第二実施例においては、台座裏側の下方部分から金属製線状材を突出させて、垂下体取付部１２及び鈎状部１５を形成している。
【００３５】
図７は、本発明の第三実施例における対眼鏡枠取付体３を示している。本第三実施例においては、外れ止め機構として、ネジ式のものを使用している。この外れ止め機構は、図７に示すように、略円筒状のネジ受け部２３と、そこに嵌合されるネジ状のネジ部２４とから構成されている。ネジ受け部２３は、ネジ部２４よりも短く形成されており、内面には雌ネジが切られている。そして、ネジ部２４をネジ受け部２３に嵌合した際には、ネジ部２４の先端がネジ受け部２３より突出するようになっている。
【００３６】
このネジ部２４はネジ状に形成されており、その一方側先端に押当部２５を備えている。この押当部２５は、ネジ部２４の径より大きな径を有し、ネジ部２４の軸を中心とする略円形板状に形成されている。また、ネジ部２４の他方側先端には、ネジ頭部２６を備えている。このネジ頭部２６は、ネジ受け部２３の径より大きな径の円形状底面を持つ山状に形成されている。
【００３７】
このような形状のネジ部２４が、ネジ受け部２３に嵌入されて突出入可能に設置されている。そして、ネジ部２４を突出させて、その押当部２５をゴム状可撓管に押し当てた際に、対眼鏡枠取付体３が閉じ構造となるようになっている。また、ネジ受け部２３は、金属製線状材１３の先端部にネジ受け部２３の胴部が接続されるように、備えられている。
【図面の簡単な説明】
【００３８】
【図１】本発明の第一実施例における眼鏡装飾具の装着状態を示す左側面図である。
【図２】同上の眼鏡装飾具を示す正面図である。
【図３】同上の眼鏡装飾具の装着状態を示す正面図である。
【図４】同上の眼鏡装飾具における対眼鏡枠取付体の底面図である。
【図５】本発明の第二実施例を示す側面図である。
【図６】同上の正面図である。
【図７】本発明の第三実施例における対眼鏡枠取付体を示す側面図である。
【図８】従来の眼鏡アクセサリを示す斜視図である。
【符号の説明】
【００３９】
１  眼鏡装飾具
２  眼鏡枠
３  対眼鏡枠取付体
４  垂下体
１１  抱持部
１２  垂下体取付部
１３  金属製線状材
１４  ゴム状可撓管
１５  鈎状部
１６  引掛部
１７  揺動部材
１８  装飾物
２１  台座
２２  装飾物
２３  ネジ受け部
２４  ネジ部
２５  押当部
２６  ネジ頭部
３１  眼鏡アクセサリ
３２  フック部
３３  チェーン
３４  ビーズ部
３５  宝飾品
３６  眼鏡の弦
３７  耳掛け部
３８  孔
【図１】
2008216935.tif 000003
【図２】
2008216935.tif 000004
【図３】
2008216935.tif 000005
【図４】
2008216935.tif 000006
【図５】
2008216935.tif 000007
【図６】
2008216935.tif 000008
【図７】
2008216935.tif 000009
【図８】
2008216935.tif 000010